(57)【特許請求の範囲】
【請求項１】
双方向性通信装置で使用する方法であって、
ダウンストリームのデータ信号が検出されるまで複数の通信チャンネルの各々について以下のステップ、すなわち、
前記複数の通信チャンネルから１つの通信チャンネルを選択するステップと、
第１のインタフェース標準のチャンネル帯域幅に従った第１の帯域幅を有するダウンストリーム信号をチェックするステップと、
前記第１の帯域幅を有する前記ダウンストリーム信号が検出されなければ、第２のインタフェース標準のチャンネル帯域幅に従った第２の帯域幅を有するダウンストリーム信号について前記選択された通信チャンネルをチェックするステップと、
を繰り返し実行する、前記双方向性通信装置で使用する方法。
【請求項２】
前記第１および第２のインタフェース標準が、北米のＤＯＣＳＩＳ標準および欧州のＤＯＣＳＩＳ標準を含むグループから選択される、請求項１記載の双方向性通信装置で使用する方法。
【請求項３】
前記チェックするステップが、欧州のＤＯＣＳＩＳ標準に対して最適化され、前記第１の帯域幅が、８ＭＨｚのダウンストリーム信号であり、前記第２の帯域幅が、６ＭＨｚのダウンストリーム信号である、請求項１記載の双方向性通信装置で使用する方法。
【請求項４】
前記チェックするステップが、北米のＤＯＣＳＩＳ標準に対して最適化され、前記第１の帯域幅が、６ＭＨｚのダウンストリーム信号であり、前記第２の帯域幅が、８ＭＨｚのダウンストリーム信号である、請求項１記載の双方向性通信装置で使用する方法。
【請求項５】
複数のプリセット・チャンネルの周波数、複数のＣＣＩＲチャンネルの周波数、複数のＵＫチャンネルの周波数、複数のＨＲＣチャンネルの周波数、および複数のＩＲＣチャンネルの周波数のうち少なくとも１つを前記複数の通信チャンネルが含む、請求項１記載の双方向性通信装置で使用する方法。
【請求項６】
前記複数の通信チャンネルが、連続的な周波数範囲を含む、請求項５記載の双方向性通信装置で使用する方法。
【請求項７】
前記連続的な周波数範囲をインクリメンタル・ステップでチェックする、請求項６記載の双方向性通信装置で使用する方法。
【請求項８】
複数のプリセット・チャンネル周波数、複数のＣＣＩＲチャンネル周波数、複数のＵＫチャンネル周波数、複数のＨＲＣチャンネル周波数、および複数のＩＲＣチャンネル周波数のうち前記少なくとも１つを、少なくとも２回チェックしてから、前記連続的な周波数範囲をチェックするステップを含む、請求項６記載の双方向性通信装置で使用する方法。
【請求項９】
前記連続的な周波数範囲が、１１０ＭＨｚ〜８６２ＭＨｚ間の周波数範囲を含む、請求項６記載の双方向性通信装置で使用する方法。
【請求項１０】
ダウンストリームのデータ信号を検出すると、ダウンストリーム・データ信号のＤＯＣＳＩＳ標準に従ってマルチ‐レートの復調器を設定し、且つダウンストリーム・データ信号の中のケーブル・モデム・ターミネーション・システム情報に従って変調器を設定するステップを更に含む、請求項２記載の双方向性通信装置で使用する方法。
【請求項１１】
前記双方向性通信装置が、ケーブル・モデムである、請求項１記載の双方向性通信装置で使用する方法。
【請求項１２】
マルチ‐モード双方向性通信装置であって、
高域フィルタと低域フィルタを含むダイプレクサと、
前記高域フィルタに結合され、第１のインタフェース標準のチャネル帯域幅に従った第１の帯域幅を有するダウンストリーム信号について、選択された通信チャンネルをチェックし、前記第１の帯域幅を有する前記ダウンストリーム信号が検出されなければ、他の通信チャンネルをチェックする前に、第２のインタフェース標準のチャンネル帯域幅に従った第２の帯域幅を有するダウンストリーム信号について、選択された通信チャンネルをチェックするダウンストリーム処理回路と、
前記低域フィルタに結合されるアップストリーム処理回路と、
複数の通信チャンネルを検索する検出手段と、
から成る、前記マルチ‐モード双方向性通信装置。
【請求項１３】
前記ダウンストリーム処理回路が、
チューナと、
マルチ‐レート復調器と、
前記チューナと前記復調器との間に選択的に結合されるＳＡＷフィルタと、
から成る、請求項１２記載のマルチ‐モード双方向性通信装置。
【請求項１４】
前記ＳＡＷフィルタが、８ＭＨｚの帯域幅を有する、請求項１２記載のマルチ‐モード双方向性通信装置。
【請求項１５】
前記高域フィルタが、１０６ＭＨｚ以上の信号を通過させる、請求項１２記載のマルチ‐モード双方向性通信装置。
【請求項１６】
前記低域フィルタが、６５ＭＨｚ以下の信号を通過させる、請求項１２記載のマルチ‐モード双方向性通信装置。
【請求項１７】
前記マルチ‐モード双方向性通信装置が、ケーブル・モデムである、請求項１２記載のマルチ‐モード双方向性通信装置。
【請求項１８】
前記インタフェース標準が、北米のＤＯＣＳＩＳ標準および欧州のＤＯＣＳＩＳ標準を含むグループから選択される、請求項１２記載のマルチ‐モード双方向性通信装置。
【請求項１９】
前記検出手段が、８ＭＨｚまたは６ＭＨｚの帯域幅を有する６４ＱＡＭと２５６ＱＡＭダウンストリーム信号のうち少なくとも１つを捕捉するために前記複数の通信チャンネルの各々をチェックするコントローラを具えている、請求項１２記載のマルチ‐モード双方向性通信装置。
【請求項２０】
複数のプリセット・チャンネル周波数、複数のＣＣＩＲチャンネル周波数、複数のＵＫチャンネル周波数、複数のＨＲＣチャンネル周波数、および複数のＩＲＣチャンネル周波数のうち少なくとも１つを前記複数の通信チャンネルが含む、請求項１９記載のマルチ‐モード双方向性通信装置。
【請求項２１】
各通信チャンネルは、他の通信チャンネルのチェックの前に、あるインタフェース標準に従ったダウンストリーム・データ信号の取得のために、チェックされる、請求項１記載の双方向性通信装置で使用する方法。
【請求項２２】
複数の通信チャンネルのそれぞれは、異なる周波数に割当てられている、請求項１記載の双方向性通信装置で使用する方法。
【請求項２３】
複数の通信チャンネルのそれぞれは、異なる周波数に割当てられている、請求項１２記載のマルチ−モード双方向性通信装置。
【発明の詳細な説明】
【技術分野】
【０００１】
本発明は、一般に、ブロードバンド・データの送信に関する。本発明は、特に、多数の標準システム（北米および欧州のＤＯＣＳＩＳ標準システム）に適合する双方向性の通信装置（例えば、ケーブル・モデム）に関する。
【背景技術】
【０００２】
ケーブル・モデムのような双方向性の通信装置は、北米のＤＯＣＳＩＳ（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎｓ：データ・オーバ・ケーブル・サービス・インタフェース仕様）標準または欧州のＤＯＣＳＩＳ標準のような単一の標準に基づいて動作するように設計されている。ＤＯＣＳＩＳが初めて欧州の顧客（ユーザ）に提案されたとき、欧州版のＤＯＣＳＩＳ標準は当初は利用できなかった。欧州の多くのケーブル事業者たちは北米のＤＯＣＳＩＳ標準を展開させ始めた。これらのケーブル事業者たちは現在、欧州のＤＯＣＳＩＳに従うシステムへ変更する必要を表明している。
【０００３】
欧州のＤＯＣＳＩＳケーブル・モデムと北米のＤＯＣＳＩＳケーブル・モデムとの間には３つの大きな相違がある。第１に、ケーブル・モデム内のダイプレクサ（ｄｉｐｌｅｘｅｒ）は、モデムが欧州のＤＯＣＳＩＳ装置であるか或いは北米のＤＯＣＳＩＳ装置であるかに依り、異なるクロスオーバ点を有する、この２つの標準では、フォワード（ダウンストリーム）とリターン（アップストリーム）に割り当てられたデータ・チャンネルの帯域幅が僅かに異なるからである。このダイプレクサのクロスオーバ点の相違は、欧州と北米のＤＯＣＳＩＳ標準に従う装置の高域フィルタと低域フィルタに異なるカットオフ周波数が使用されることに因る。第２に、欧州のＤＯＣＳＩＳに従う装置のフォワード・データ・チャンネルの帯域幅は８ＭＨｚであるのに対して、北米のＤＯＣＳＩＳに従う装置のフォワード・データ・チャンネルの帯域幅は６ＭＨｚである。このチャンネル帯域幅の相違は、ガード・バンド（ｇｕａｒｄ  ｂａｎｄ）なしに付加的チャンネルが所望チャンネと隣接しているとき性能を最大限にするために異なる表面弾性波（ＳＡＷ）フィルタを使用することによる。第３に、欧州のＤＯＣＳＩＳに対するフォワード・データ・チャンネルは、北米のＤＯＣＳＩＳに対して使用されるフォワード誤り訂正（ＦＥＣ）スキームに代るＦＥＣスキームを規定している。よって、ケーブル事業者たちが欧州のＤＯＣＳＩＳ標準に従うケーブル・モデムの使用に切り替えると、それに応じて、各ＤＯＣＳＩＳ標準について異なるケーブル・モデムを製造するために規模に基づくの経済的コストが上昇する。
【発明の開示】
【０００４】
（発明の概要）
これまでの従来技術に関連する不利な点は、ケーブル・モデムのような双方向性の通信装置を用いてマルチ‐モード（マルチ‐スタンダード：多標準）信号を処理するための方法および装置である本発明により解決される。この方法では、複数のチャンネルのうちの１つに同調し、ダウンストリーム信号（これは、第１のサービス・インタフェース標準に従う第１の帯域幅を有する）を検索する。
【０００５】
ダウンストリーム信号が検出されない場合、第２のサービス・インタフェース標準に従う第２の帯域幅を有するダウンストリーム信号について検索が繰り返される。このダウンストリーム信号が検出されない場合、次のチャンネルが同調され、前記第１のサービス・インタフェース標準に従う第１の帯域幅を有するダウンストリーム信号の検索が実行される。ダウンストリーム信号が検出されない場合、前記第２のサービス・インタフェース標準に従う前記第２の帯域幅を有するダウンストリーム信号が検索される。この方法では、ダウンストリーム・データ信号が検出されるまで、各チャンネルに同調し繰り返し検索する。
【０００６】
本発明による装置は、高域フィルタと低域フィルタを含むダイプレクサ（ｄｉｐｌｅｘｅｒ）、高域フィルタに結合されるダウンストリーム処理回路、および低域フィルタに結合されるアップストリーム処理回路を具えている。検出器は複数の周波数を検索し、少なくとも１つのサービス・インタフェース標準（例えば、欧州および北米のＤＯＣＳＩＳ）のダウンストリーム・データ信号を捕捉（ａｃｑｕｉｓｉｔｉｏｎ）するために各周波数がチェックされてから、次の周波数がチェックされる。
【０００７】
本発明の開示は，添付されている図面に関連して以下の詳細な説明を考慮することにより容易に理解することができる。理解を容易にするために、各図面に共通する同じ要素は、できるだけ同じ参照番号を使用して表している。
特許請求の範囲と実施例との対応関係を実施例で使われている参照番号を用いて示すと以下の通りである。
（請求項１）
双方向性通信装置（１０２）で使用する方法であって、
ダウンストリームのデータ信号が検出されるまで複数の通信チャンネルの各々について以下のステップ、すなわち、
前記複数の通信チャンネルから１つの通信チャンネルを選択する（３０６）ステップと、
第１のインタフェース標準のチャンネル帯域幅に従った第１の帯域幅を有するダウンストリーム信号をチェック（３０８）するステップと、
前記第１の帯域幅を有する前記ダウンストリーム信号が検出されなければ（３１０）、第２のインタフェース標準のチャンネル帯域幅に従った第２の帯域幅を有するダウンストリーム信号について前記選択された通信チャンネルをチェックする（３１２）ステップと、
を繰り返し実行する、前記双方向性通信装置で使用する方法。
（請求項２）
前記第１および第２のインタフェース標準が、北米のＤＯＣＳＩＳ標準および欧州のＤＯＣＳＩＳ標準を含むグループから選択される、請求項１記載の双方向性通信装置で使用する方法。
（請求項３）
前記チェックするステップが、欧州のＤＯＣＳＩＳ標準に対して最適化され、前記第１の帯域幅が、８ＭＨｚのダウンストリーム信号であり（３０８、３１０）、前記第２の帯域幅が、６ＭＨｚのダウンストリーム信号である（３１２、３１４）、請求項１記載の双方向性通信装置で使用する方法。
（請求項４）
前記チェックするステップが、北米のＤＯＣＳＩＳ標準に対して最適化され、前記第１の帯域幅が、６ＭＨｚのダウンストリーム信号であり（３１２、３１４）、前記第２の帯域幅が、８ＭＨｚのダウンストリーム信号である（３０８、３１０）、請求項１記載の双方向性通信装置で使用する方法。
（請求項５）
複数のプリセット・チャンネルの周波数（３０４〜３１６）、複数のＣＣＩＲチャンネルの周波数（３１８〜３２８）、複数のＵＫチャンネルの周波数（３３０〜３４０）、複数のＨＲＣチャンネルの周波数、および複数のＩＲＣチャンネルの周波数のうち少なくとも１つを前記複数の通信チャンネルが含む、請求項１記載の双方向性通信装置で使用する方法。
（請求項６）
前記複数の通信チャンネルが、連続的な周波数範囲を含む（３４６〜３５８）、請求項５記載の双方向性通信装置で使用する方法。
（請求項７）
前記連続的な周波数範囲をインクリメンタル・ステップ（３５８）でチェックする、請求項６記載の双方向性通信装置で使用する方法。
（請求項８）
複数のプリセット・チャンネル周波数（３０４〜３１６）、複数のＣＣＩＲチャンネル周波数（３１８〜３２８）、複数のＵＫチャンネル周波数（３３０〜３４０）、複数のＨＲＣチャンネル周波数、および複数のＩＲＣチャンネル周波数のうち前記少なくとも１つを、少なくとも２回チェックして（３４２、３４４）から、前記連続的な周波数範囲（３４６〜３５８）をチェックするステップを含む、請求項６記載の双方向性通信装置で使用する方法。
（請求項９）
前記連続的な周波数範囲が、１１０ＭＨｚ〜８６２ＭＨｚ間の周波数範囲を含む、請求項６記載の双方向性通信装置で使用する方法。
（請求項１０）
ダウンストリームのデータ信号を検出する（３６２）と、ダウンストリーム・データ信号のＤＯＣＳＩＳ標準に従ってマルチ‐レートの復調器を設定し、且つダウンストリーム・データ信号の中のケーブル・モデム・ターミネーション・システム情報に従って変調器を設定するステップを更に含む、請求項２記載の双方向性通信装置で使用する方法。
（請求項１１）
前記双方向性通信装置が、ケーブル・モデムである、請求項１記載の双方向性通信装置で使用する方法。
（請求項１２）
マルチ‐モード双方向性通信装置（１０２）であって、
高域フィルタ（１３２）と低域フィルタ（１３４）を含むダイプレクサ（１３０）と、
前記高域フィルタに結合され、第１のインタフェース標準のチャネル帯域幅に従った第１の帯域幅を有するダウンストリーム信号について、選択された通信チャンネルをチェックし、前記第１の帯域幅を有する前記ダウンストリーム信号が検出されなければ、他の通信チャンネルをチェックする前に、第２のインタフェース標準のチャンネル帯域幅に従った第２の帯域幅を有するダウンストリーム信号について、選択された通信チャンネルをチェックするダウンストリーム処理回路（１０８）と、
前記低域フィルタに結合されるアップストリーム処理回路（１０６）と、
複数の通信チャンネルを検索する検出手段（１２６、３００）と、
から成る、前記マルチ‐モード双方向性通信装置（１０２）。
（請求項１３）
前記ダウンストリーム処理回路が、
チューナ（１１２）と、
マルチ‐レート復調器（１１８）と、
前記チューナと前記復調器との間に選択的に結合されるＳＡＷフィルタ（１１４）と、
から成る、請求項１２記載のマルチ‐モード双方向性通信装置。
（請求項１４）
前記ＳＡＷフィルタが、８ＭＨｚの帯域幅を有する、請求項１２記載のマルチ‐モード双方向性通信装置。
（請求項１５）
前記高域フィルタが、１０６ＭＨｚ以上の信号を通過させる、請求項１２記載のマルチ‐モード双方向性通信装置。
（請求項１６）
前記低域フィルタが、６５ＭＨｚ以下の信号を通過させる、請求項１２記載のマルチ‐モード双方向性通信装置。
（請求項１７）
前記マルチ‐モード双方向性通信装置が、ケーブル・モデム（１０２）である、請求項１２記載のマルチ‐モード双方向性通信装置。
（請求項１８）
前記インタフェース標準が、北米のＤＯＣＳＩＳ標準および欧州のＤＯＣＳＩＳ標準を含むグループから選択される、請求項１２記載のマルチ‐モード双方向性通信装置。
（請求項１９）
前記検出手段が、８ＭＨｚまたは６ＭＨｚの帯域幅を有する６４ＱＡＭと２５６ＱＡＭダウンストリーム信号のうち少なくとも１つを捕捉するために前記複数の通信チャンネルの各々をチェックするコントローラ（１２６）を具えている、請求項１２記載のマルチ‐モード双方向性通信装置。
（請求項２０）
複数のプリセット・チャンネル周波数（３０４〜３１６）、複数のＣＣＩＲチャンネル周波数（３１８〜３２８）、複数のＵＫチャンネル周波数（３３０〜３４０）、複数のＨＲＣチャンネル周波数、および複数のＩＲＣチャンネル周波数のうち少なくとも１つを前記複数の通信チャンネルが含む、請求項１９記載のマルチ‐モード双方向性通信装置。
（請求項２１）
各通信チャンネルは、他の通信チャンネルのチェックの前に、あるインタフェース標準に従ったダウンストリーム・データ信号の獲得のために、チェックされる、請求項１記載の双方向性通信装置で使用する方法。
（請求項２２）
複数の通信チャンネルのそれぞれは、異なる周波数に割当てられている、請求項１記載の双方向性通信装置で使用する方法。
（請求項２３）
複数の通信チャンネルのそれぞれは、異なる周波数に割当てられている、請求項１２記載のマルチ−モード双方向性通信装置。
【発明を実施するための最良の形態】
【０００８】
本発明は主として、データ通信システムにおけるケーブル・モデムに関連して説明されるが、他のマルチ‐モード／マルチ‐スタンダード双方向性通信装置（衛星ターミナル、ディジタル加入者ラインＤＳＬモデムなど）にも本発明を組み込むことにより利益の得られることが当業者には理解できるであろう。複数の標準方式（北米および欧州のＤＯＣＳＩＳ標準方式など）の下に動作する単一のケーブル・モデムを具えることにより、規模における経済性を介して、製造者、転売者、および賃借者のために、全体的なコストが低減される。
【０００９】
本発明の１つの実施例に従って、ケーブル・モデムは単一のダイプレクサ（これは、ケーブル・トランスポート・ネットワークを介して、例えば、コンピュータ装置をサービス・プロバイダに結合するのを容易にする）を具えている。特に、ここに例示するケーブル・モデムを利用して、サービス・プロバイダからコンピュータ装置へダウンストリームのブロードバンド・データ信号を供給する。また、このケーブル・モデムを利用してコンピュータからサービス・プロバイダにアップストリームのベースバンド・データ信号を転送する。更に、このケーブル・モデムは、北米のＤＯＣＳＩＳ標準と欧州のＤＯＣＳＩＳ標準（この明細書に参考として組み込まれている）に基づいて、異なるダウンストリーム帯域幅の制約内で選択的に動作する。また、この実施例のケーブル・モデムは、欧州のＤＯＣＳＩＳ標準に従って、アップストリーム・データ信号を選択的に通過させることができると共に、北米のＤＯＣＳＩＳ標準に従って、アップストリーム・データ信号のかなりの部分を通過させることもできる。
【００１０】
図１は、マルチ‐モードの双方向性通信装置１０２を具えているデータ通信システム１００をブロック図で示す。装置１０２は、この実施例におけるケーブル・モデムである。データ通信システム１００は、入力／出力（Ｉ／Ｏ）装置１０４（コンピュータ、ハンドヘルド装置、ラップトップ、あるいはデータを送信／受信できる他の装置）を有する最終使用者（一般のユーザ）に電子的に送信されるディジタル・データを供給するサービス・プロバイダ１６０を含んでいる。サービス・プロバイダ１６０は、ケーブル・トランスポート・ネットワーク１５０を介し、マルチ‐モード（ｍｕｌｔｉ‐ｍｏｄｅ）の双方向性通信装置（例えば、ケーブル・モデム）１０２に結合されている。
【００１１】
サービス・プロバイダ１６０は、低速、中速、または高速のデータ送信、複数の音声チャンネル、映像チャンネルなどを供給できるエンティティ（ｅｎｔｉｔｙ：構成要素、実体）である。特に、データは、種々の衛星放送用のフォーマット（例えば、ディジタル放送衛星（Ｄｉｇｉｔａｌ  Ｂｒｏａｄｃａｓｔ  Ｓａｔｅｌｌｉｔｅ：ＤＢＳ））、ケーブル伝送システム（例えば、高精細度テレビジョン（Ｈｉｇｈ  Ｄｅｆｉｎｉｔｉｏｎ  ＴｅｌｅＶｉｓｉｏｎ：ＨＤＴＶ））、ディジタルビデオ放送（Ｄｉｇｉｔａｌ  Ｖｉｄｅｏ  ＢｒｏａｄＣａｓｔｉｎｇ：ＤＶＢ‐Ｃ：すなわち、欧州のディジタル・ケーブル標準）などのようなフォーマットでサービス・プロバイダ１６０から無線周波（ＲＦ）搬送波信号で伝送される。
【００１２】
サービス・プロバイダ１６０は、ケーブル・トランスポート・ネットワーク１５０でデータを供給する。或る実施例において、ケーブル・トランスポート・ネットワーク１５０は、北米または欧州のＤＯＣＳＩＳ標準に基づいて指定される、従来の双方向性ハイブリッド・ファイバ同軸ケーブル・ネットワークである。
【００１３】
動作を説明すると、サービス・プロバイダ１６０は、ダウンストリームのデータ信号をＲＦ搬送波信号で変調し、この信号を、ケーブル・トランスポート・ネットワーク１５０を介してケーブル・モデム１０２に供給する。ＲＦ信号は受信され、同調され、濾波されて所定の中間周波数（ＩＦ）信号になる。ＩＦ信号は次に復調されて、１つ以上のベースバンド信号になるか、または処理されて、データ・パケットになる。データ・パケットは、例えば、ケーブル１０５（ユニバーサル・シリアル・バス（Ｕｎｉｖｅｒｓａｌ  Ｓｅｒｉａｌ  Ｂｕｓ：ＵＳＢ）、同軸ケーブルなど）を介して、更に送信される。同様に、コンピュータ装置１０４のユーザは、アップストリーム・データ信号をケーブル１０５を介してケーブル・モデム１０２に送る。ケーブル・モデム１０２は、アップストリームのベースバンド・データ信号をコンピュータ装置１０４から受け取り、このデータ信号を変調して、ＲＦ搬送波にアップコンバートし、ケーブル・トランスポート・ネットワーク１５０を介してサービス・プロバイダ１６０に送り返す。
【００１４】
ケーブル・モデム１０２は、ダイプレクサ１３０、アップストリーム処理回路１０６、ダウンストリーム処理回路１０８、コントローラ１２６、およびメディア・アクセス・コントローラ（ＭＡＣ）１２４を具えている。ダイプレクサ１３０は、ケーブル・トランスポート・ネットワーク１５０とケーブル・モデム１０２との間でデータを伝送する。ダイプレクサ１３０は、高域フィルタ１３２と低域フィルタ１３４を具えている。高域フィルタ１３２は処理済みのダウンストリームＲＦ信号をコンピュータ装置１０４に供給する。例えば、１０６ＭＨz以上の周波数を有するＲＦ信号は通過させられ、１０６ＭＨｚ以下の周波数は減衰される。
【００１５】
ダイプレクサ１３０は、アップストリーム処理回路１０６とダウンストリーム処理回路１０８に結合される。高域フィルタＨＰＦ１３２は、ダウンストリームのデータ信号をダウンストリーム処理回路１０８に送り、低域フィルタＬＰＦ１３４は、アップストリーム処理回路１０６からリターン信号（例えば、ユーザのリクエスト）を受け取る。以下に詳細に述べるが、欧州のＤＯＣＳＩＳ標準に基づく動作の間、または北米のＤＯＣＳＩＳ標準に基づく動作の間、ＨＰＦ１３２とＬＰＦ１３４は何れも利用できる。
【００１６】
サポート回路１１５（電圧調整器、増幅器など）は、ダウンストリーム処理回路１０８とアップストリーム処理回路１０６、およびケーブル・モデム１０２内の他の回路の動作を支援する。コントローラ１２６は、変調器１１０、復調器１１８、およびＭＡＣ（Ｍｅｄｉａ  Ａｃｃｅｓｓ  Ｃｏｎｔｒｏｌ）１２４を制御する埋め込み式マイクロ‐コントローラである。
【００１７】
ダウンストリーム処理回路１０８は、チューナ１１２、および帯域幅８ＭＨｚの表面弾性波（Ｓｕｒｆａｃｅ  Ａｃｃｏｕｓｔｉｃ  Ｗａｖｅ：ＳＡＷ）フィルタ１１４を介してチューナ１１２に選択的に結合されるマルチ‐レート（ｍｕｌｔｉ‐ｒａｔｅ）復調器１１８を具えている。チューナ１１２は、例えば、インディアナ州インディアナポリス所在のトムソン・マルチメディア社（Ｔｈｏｍｓｏｎ  Ｍｕｌｔｉｍｅｄｉａ，Ｉｎｃ．）製作のＤＩＴ９３１０型である。欧州のＤＯＣＳＩＳモードで動作しているとき、ＳＡＷフィルタ１１４は、帯域幅８ＭＨｚを有するＩＦ信号をマルチ‐レート復調器１１８に供給する。復調器１１８は、ＩＴＵＪ．８３付録Ａの標準に基づく要件の範囲内で動作する。北米のＤＯＣＳＩＳモードで動作しているとき、ＳＡＷフィルタ１１４は、帯域幅８ＭＨｚを有するＩＦ信号を復調器１１８に供給する。復調器１１８は、ＩＴＵＪ．８３付録Ｂの標準に基づく要件の範囲内で動作する。マルチ‐レートの復調器１１８は、カリフォルニア州アーバインのブロードコム社（Ｂｒｏａｄｃｏｍ  Ｉｎｃ．）が製作するＢＣＭ３３５０型である。
【００１８】
ダウンストリーム処理回路１０８は、コントローラ１２６から供給される選択信号に応答して、複数のダウンストリーム・データ信号のうち少なくとも１つに選択的に同調してこれを復調し、″受け取る″ダイプレクサ１３０は、１０６ＭＨｚ以上の全てのダウンストリーム・データ信号を、高域フィルタＨＰＦ１３２を介してチューナ１１２に送る。チューナ１１２はＨＰＦ１３２から受信されるダウンストリームＲＦ信号を、所定のＩＦ周波数信号にダウンコンバートする。チューナ１１２は、このＩＦ周波数信号を８ＭＨｚＳＡＷフィルタ１１４を介して復調器１１８に送る。フィルタで濾波されたＩＦ信号は、復調回路１１８で復調され、１つ以上のベースバンド信号となる。これらのベースバンド信号はメディア・アクセス・コントローラ（ＭＡＣ）１２４に送られ、ここで、受信された信号は、以下に詳細に述べるように、ビットストリームにパケット化される。
【００１９】
北米のＤＯＣＳＩＳ標準に基づいて動作しているとき、ＳＡＷフィルタ１１４は、帯域幅８ＭＨｚを有するＩＦ信号（３６．１２５ＭＨｚを中心とする）を復調器１１８に供給し、復調器１１８は、その中のベースバンド信号を抽出する。同様に、欧州のＤＯＣＳＩＳ標準に基づいて動作しているとき、ＳＡＷフィルタ１１４は、帯域幅８ＭＨｚを有するＩＦ信号（３６．１２５ＭＨｚを中心とする）を復調器１１８に供給し、復調器１１８は、その中のベースバンド信号を抽出する。何れにしろ、ベースバンド信号はメディア・アクセス・コントローラ（ＭＡＣ）１２４に送られ、その後、コンピュータ装置に送られ、コントローラ１２６により管理される。
【００２０】
このベースバンド信号は、パケット（例えば、ＭＰＥＧの基本ストリーム・パケット）に形成される。メディア・アクセス・コントローラ（ＭＡＣ）１２４、コントローラ１２６、およびその他のディジタル回路は、このパケット化されたデータを更に処理し（例えば、適当なトランスポート・パケット内にカプセル化または付加し）、この処理されパケット化されたデータをコンピュータ装置１０４（または他の情報装置）に配信する。特に、メディア・アクセス・コントローラ（ＭＡＣ）１２４は、パケット化されたビットストリームをコントローラ１２６に送り、ここでデータは処理され（例えば、フォーマット化され）、コンピュータ装置１０４とインタフェースがとられる。コントローラ１２６は、フォーマット化されパケット化されたビットストリームを、更なる処理（例えば、データの抽出およびアップコンバージョン）のために、ケーブル１０５を介してコンピュータ装置１０４に転送する。
【００２１】
アップストリーム処理回路１０６は、変調器１１０および他のサポート回路、例えば、増幅器、フィルタ、電圧調整器など（図示せず）を具えている。変調器１１０は、コンピュータ装置１０４からのアップストリーム信号を変調して、サービス・プロバイダ１６０に送信する。ユーザは、データ、データのリクエスト、または他のユーザのリクエストをサービス・プロバイダに送る。ユーザのリクエストは、アップコンバートされ、アップストリームのＲＦ信号に変調される。或る実施例では、マルチ‐レート復調器１１８、変調器１１０、およびメディア・アクセス・コントローラ（ＭＡＣ）１２４は物理的に１つのＡＳＩＣに統合される。別の実施例では、当業者に明らかなように、個別の構成部品も使用される。
【００２２】
コントローラ１２６は、メモリ１２８に結合される。メモリ１２８は、不揮発性メモリ（例えば、ＥＥＰＲＯＭ）を含み、また必要に応じて、ＲＡＭおよびキャッシュ・メモリのような揮発性メモリを含んでいる。メモリ１２８は、プログラム・コードを記憶し、これによって、ケーブル・トランスポート・ネットワーク１５０から受信されるダウンストリーム信号の形式を検出する方法３００が得られる。方法３００で検索を行って、同調されたダウンストリーム信号が、欧州のＤＯＣＳＩＳまたは北米のＤＯＣＳＩＳ標準に属するかどうかが判定される。ダウンストリーム信号の形式が検出されると、復調器１１８は、ダウンストリーム信号を更に処理する（すなわち、ベースバンド信号を抽出する）ように設定される。
【００２３】
また、ダウンストリーム信号が識別されると、変調器１１０は、ケーブル・モデム・ターミネーション・システム（Ｃａｂｌｅ  Ｍｏｄｅｍ  Ｔｅｒｍｉｎａｔｉｏｎ  Ｓｙｓｔｅｍ：ＣＭＴＳ）で指定される信号の形式に設定することもでき、それによって、アップストリーム信号が得られる。ケーブル・モデム・ターミネーション・システム（ＣＭＴＳ）は、ＤＯＣＳＩＳ標準の要素であって、ケーブル・テレビジョン・システムによる高速データ転送用の一組の仕様書となる。ケーブル・モデム・ターミネーション・システム（ＣＭＴＳ）で指定される信号の形式は、多重技術（例えば、とりわけ、ＴＤＭＡ、ＣＤＭＡ）、圧縮技術（例えば、ＱＰＳＫ）シンボル・レート、および変調器１１０を設定するための他のパラメータを決める。
【００２４】
図２は、図１のダイプレクサ１３０の応答曲線２００をグラフで表す。応答曲線２００は、縦座標２０２と横座標２０４からなる。縦座標２０２は、挿入損を（デシベルｄＢで）表し、横座標２０４は、周波数を（メガヘルツＭＨｚで）表す。
【００２５】
図１と図２に関して、高域フィルタＨＰＦ１３２は、１０６ＭＨｚ以上の周波数を有するＲＦデータ信号を通過させる（ＨＰＦの応答曲線２０６で示す）。北米のＤＯＣＳＩＳ標準に基づいて、ダウンストリームのデータ信号は、９０ＭＨｚ以上の中心周波数で伝送される（ＨＰＦ応答曲線２０８：破線で示す）。ダウンストリーム信号の帯域幅は、６ＭＨｚであり、ＨＰＦ１３２は、少なくとも８７ＭＨｚの周波数を通過させることができる（図２のコーナ周波数２１４として示す）。
【００２６】
欧州のＤＯＣＳＩＳ標準に基づいて、ダウンストリームのデータ信号は１１０ＭＨｚ以上の中心周波数で伝送され、ＨＰＦ１３２は、少なくとも１０６ＭＨｚの周波数を通過させる（図２のコーナ周波数２１６として示す）。本発明の１つの実施例では、ダイプレクサ１３０に高域フィルタ１３２が１つだけ使用されている。ＨＰＦ１３２は、１１０ＭＨｚ以上の中心周波数でＲＦデータ信号を通過させる。北米のＤＯＣＳＩＳ標準に基づいて、１１０ＭＨｚ以下の中心周波数を有するデータ信号は、復調器１１８に通されない。しかしながら、北米および欧州のケーブル事業者は大抵、１０６ＭＨｚ以上の周波数を使用しているので、１１０ＭＨｚ以下の中心周波数を有する信号は一般のユーザにとって問題にならない。
【００２７】
北米のケーブル事業者たちは通常、アナログ・ビデオ信号を低い周波数（例えば、５４‐３００ＭＨｚ）に配置している。一般に、ケーブル・プラント（ｃａｂｌｅ  ｐｌａｎｔ）は、比較的低い周波数において、より良い信号対雑音（Ｓ／Ｎ）比を有すると共により少ない進入（ｉｎｇｒｅｓｓ）を有するからである。アナログ信号の数はケーブル・プラントによって異なる。アナログ・ビデオ信号は、ケーブル・モデム信号よりも、このようなチャンネル妨害（ｉｍｐａｉｒｍｅｎｔｓ）の影響を受け易い。従って、ケーブル事業者は通常、ケーブル・モデムのダウンストリーム・データ・チャンネルを比較的高い周波数（すなわち、１０６ＭＨｚ以上）に配置する。ディジタル信号は通常、比較的高い周波数（例えば、３００ＭＨｚ以上）において追加されるが、このような比較的高い周波数は使用されないので、チャンネル形成のために利用できる。更に、北米および欧州のＤＯＣＳＩＳ標準に基づいて、ディジタルのダウンストリームＲＦ信号は、ほとんど全て１０６ＭＨｚ以上であるので、このようなダウンストリームＲＦデータ信号を、ケーブル・モデム１０２で更に処理するために、通過させるのに単一のＨＰＦ１３２は適している。図２におけるＨＰＦのディジタル応答曲線２０６は、１０６ＭＨｚ以上の周波数に対する低レベルの挿入損２０２を示す。
【００２８】
図４は、図１のケーブル・モデム１０２のＳＡＷフィルタ１１４との関連において、北米のＤＯＣＳＩＳ標準に従って動作するデータ・チャンネル４０２についての周波数応答曲線４００を示す。欧州のＤＯＣＳＩＳ標準に対するダウンストリームのデータ・チャンネルは８ＭＨｚの帯域幅であり、北米のＤＯＣＳＩＳ標準では６ＭＨｚの帯域幅である。従来技術によるケーブル・モデムでは、ガード・バンドなしに付加的チャンネルが所望チャンネルと隣接するとき、性能を最大限にするために、各ＤＯＣＳＩＳ標準に基づいて異なるＳＡＷフィルタが使用された。特に、北米のＤＯＣＳＩＳ標準の下では６ＭＨｚのＳＡＷフィルタが使用され、欧州のＤＯＣＳＩＳ標準の下では８ＭＨｚのＳＡＷフィルタが使用された。この明細書で説明するケーブル・モデム１０２の実施例では、ケーブル・モデム１０２が適正に動作するために、ＳＡＷフィルタは少なくとも、最大帯域幅の信号と同じ帯域幅でなければならないので、８ＭＨｚのＳＡＷフィルタが１つだけ使用されている。図１に関連して上述したように、高域フィルタＨＰＦ１３２が１０６ＭＨｚ以上のデータ信号を通過させると、ＳＡＷフィルタ１１４は、８ＭＨｚの帯域幅を有する中心（ｃｅｎｔｅｒｅｄ）ＩＦ信号を復調器１１８に供給する。
【００２９】
図４に、北米のＤＯＣＳＩＳ標準に基づいて６ＭＨｚの帯域幅を有する所望データ・チャンネル４０４を示す。また、６ＭＨｚの帯域幅を有する２つの隣接するデータ・チャンネル４０６と４０８も存在する。例えば、ユーザが選択する所望チャンネルは１２０ＭＨｚの中心周波数を有する。隣接するチャンネル４０６と４０８（もし存在すれば）はそれぞれ中心周波数１１４ＭＨｚと１２６ＭＨｚを有する（その間にガード・バンドは配置されない）。図４において、曲線４１０で示すように、８ＭＨｚＳＡＷフィルタは、所望チャンネル４０４の信号（帯域幅６ＭＨｚ）全体を通過させ、それに加えて、隣接する各チャンネル（４０６と４０８）の信号部分１ＭＨｚを通過させる。この隣接チャンネル（４０６と４０８）からの２ＭＨｚの追加的データ信号はケーブル・モデム１０２の性能を低下させる。例えば、もし全信号出力が増加すると、追加的な隣接チャンネルの出力は，ダウンストリーム処理回路１０８におけるＳＡＷフィルタの後にある能動装置（例えば、復調器１１８）を歪ませる。これに代り、もし全出力を一定に保てば、所望信号は復調器１１８内のアナログ／ディジタル変換器（図示せず）の全範囲（ｆｕｌｌ  ｒａｎｇｅ）を使用しないであろう。
【００３０】
図５は、図１のケーブル・モデムのＳＡＷフィルタ１１４に関連して、北米ＤＯＣＳＩＳ標準に基づいて作用するガード・バンド５０２を有するデータ・チャンネルについての周波数応答曲線５００を示す。サービス・プロバイダ１６０は、所望データ・チャンネル４０４と隣接チャンネル４０６と４０８との間で１ＭＨｚのガード・バンド５０２を具えることによって、隣接チャンネル（４０６、４０８）から生じる所望チャンネル４０４の性能の低下を最小限度に抑える。
【００３１】
図３は、図１のケーブル・モデム１０２を使用して、ダウンストリームの信号を検出する方法３００をフローチャートで示す。方法３００では、ダウンストリームのデータ・チャンネルを指定された周波数に同調させ、欧州と北米の６４ＱＡＭおよび２５６ＱＡＭ信号の捕捉（ａｃｑｕｉｓｉｔｉｏｎ）が試みられてから、次の周波数に同調する。
【００３２】
例示する方法３００は、欧州のＤＯＣＳＩＳ動作モード用に最適化される。或る実施例で、方法３００では、最初に複数のプリセット（ｐｒｅｓｅｔ）周波数チャンネルからダウンストリームの信号を検索する。もしダウンストリームの信号がプリセット・チャンネルのどれにも見つからなければ、複数のＣＣＩＲ（Ｃｏｎｓｕｌｔａｔｉｖｅ  Ｃｏｍｍｉｔｔｅｅ  ｆｏｒ  Ｉｎｔｅｒｎａｔｉｏｎａｌ  Ｒａｄｉｏ：国際無線通信諮問委員会）の周波数チャンネルからダウンストリームの信号を検索する。ダウンストリーム信号が、ＣＣＩＲチャンネルの何れにも見つからなければ、方法３００は次に、複数のＵＫ（Ｕｎｉｔｅｄ  Ｋｉｎｇｄｏｍ：英国）の周波数チャンネルからダウンストリーム信号を検索する。
【００３３】
方法３００は、ステップ３０１から始まり、ステップ３０２に進み、ここでカウンタがゼロに設定される。ステップ３０４で、走査リストが存在するかどうかを判定する。或る実施例で、ケーブル・モデムは、複数のプリセット・チャンネル（例えば、１０個のプリセットされたチャンネル）を有する走査リストを記憶する。このプリセット・チャンネルは、例えば、見つけるのに長時間を要する珍しいベンダー（ｖｅｎｄｏｒ）チャンネルである。例示する１０個の周波数の設定は、メモリ１２８（例えば、ＥＥＰＲＯＭ）内に記憶される。もしステップ３０４における判定がＮＯであれば、ステップ３１８に進む。
【００３４】
ステップ３０４での判定がＹＥＳであれば、次にステップ３０６で、チューナ１１２は第１の複数の走査リストの（所定の）チャンネル周波数に同調される。すなわち、ケーブル・モデム１０２は、これらのプリセット・チャンネルの各々を順次にチェックしてから、他のタイプのチャンネル（例えば、欧州のＣＣＩＲ／ＵＫチャンネルまたは北米のＩＲＣ／ＨＲＣチャンネルなど）をチェックする。その理由は、プリセットされたチャンネルは頻繁に利用されるからである。ステップ３０６で第１のチャンネル周波数に同調後、ステップ３０８で、帯域幅８ＭＨｚの欧州ＤＯＣＳＩＳ標準（付録Ａ）のダウンストリーム信号（６４ＱＡＭおよび２５６ＱＡＭ信号）の捕捉を検索する。ステップ３１０で、ダウンストリーム信号が捕捉されると、ステップ３６２に進み、ここで、アップストリーム信号のパラメータが捕捉（ａｃｑｕｉｒｅ）される。
【００３５】
ステップ３６２で、ダウンストリーム信号が捕捉されると、アップストリーム処理回路１０６は、情報をアップストリームに送信するために、他にもアップストリームのパラメータはあるがとりわけ、適当な出力信号、変調スキームを決定しなければならない。特に、変調器１１０は、コンピュータ装置１０４からアップストリームに送られたベースバンド信号の変調を可能にするために、ケーブル・モデム・ターミネーション・システム（ＣＭＴＳ）で指定されるチャンネル周波数を設定する。次に、ステップ３６４に進み、ここで方法３００は終了する。
【００３６】
ステップ３１０で、その同調されたプリセット・チャンネルについて、欧州標準に基づく帯域幅８ＭＨｚ、付録（Ａｎｎｅｘ）Ａのダウンストリーム信号が検出されていなければ、ステップ３１２に進む。ステップ３１２で、同じチャンネル周波数（例えば、プリセットされたチャンネル）が北米ＤＯＣＳＩＳ標準（付録Ｂ）に基づいてチェックされる。すなわち、チューナ１１２は同じチャンネル周波数に保たれ、帯域幅６ＭＨｚ、付録（Ａｎｎｅｘ）Ｂのダウンストリーム信号について、６４ＱＡＭ信号および２５８ＱＡＭ信号の捕捉が試みられる。ステップ３１４で、６ＭＨｚの北米ＱＡＭ信号が検出されると、ステップ３６２に進み、ここで復調器１１８および変調器１１０は、上述のように、ベースバンド信号の更なる処理を可能にするように設定される。
【００３７】
しかしながら、ステップ３１４で、北米標準のＱＡＭ信号の１つが検出されなければ、ステップ３１６で、同調されたチャンネル周波数が、検索しようとするタイプの最後のものであるかどうか問われる。この最後のプリセット・チャンネル周波数がまだ検索されていなければ、ステップ３０６に進み、ここでチューナ１１２は，次のプリセット・チャンネル周波数に順次に同調される。ステップ３０６〜３１６は、走査リスト内の各プリセット・チャンネルについて順次に繰り返され、これは、ダウンストリーム信号がプリセット・チャンネルのうちの１つから捕捉される（そしてステップ３６２に進む）まで、またはステップ３１６で、ダウンストリーム信号を捕捉することなく最後のプリセット・チャンネルが検索されるまで、順次に繰り返される。ステップ３１６でダウンストリーム信号を捕捉することなく最後のプリセット・チャンネルが検索されるなら、ステップ３１８に進む。
【００３８】
最初に特定のチャンネル周波数に同調し、その同調したチャンネル上で付録Ａと付録Ｂの６４ＱＡＭまたは２５６ＱＡＭ信号の捕捉をチェックしてから、次のチャンネルに同調する。これは、全てのタイプのチャンネル（例えば、ＣＣＩＲ、ＵＫ）について実行されるので、この方法３００では、両方のダウンストリーム・データ・チャンネル・モードに対し一度だけチューナ１１２を同調させることにより検索時間を最小限に抑える。
【００３９】
ステップ３１８で、チューナ１１２は第１のＣＣＩＲチャンネルに同調する。現在９４個のＣＣＩＲチャンネルのうちどのチャンネルもダウンストリーム信号を搬送する。チューナ１１２が、ＣＣＩＲのチャンネル周波数（例えば、最低周波数のチャンネルから始めて）に同調すると、ステップ３２０で欧州（付録Ａ）ＤＯＣＳＩＳ標準に基づいて６４ＱＡＭまたは２５６ＱＡＭ、帯域幅８ＭＨｚのダウンストリーム信号を捕捉するように検索が実行される。すなわち、現在同調しているチャンネルにおいて、６４ＱＡＭと２５６ＱＡＭ信号の捕捉が試みられてから、次のチャンネル周波数に同調する。
【００４０】
ステップ３２２で、その同調したＣＣＩＲチャンネルについて８ＭＨｚ欧州ＱＡＭ信号が検出されると、ステップ３６２に進み、ここで復調器１１８と変調器１１０は、上述のように、ベースバンド信号の更なる処理を可能にするように設定される。ステップ３２２で、帯域幅８ＭＨｚの付録Ａダウンストリーム信号が、その同調したＣＣＩＲチャンネルの欧州標準に基づいて検出されていなければ、ステップ３２４に進む。
【００４１】
ステップ３２４で、北米ＤＯＣＳＩＳ標準（付録Ｂ）に基づいて、同じチャンネル周波数（例えば、ＣＣＩＲチャンネル）がチェックされる。すなわち、チューナ１１２は、同じチャンネル周波数に保たれ、６４ＱＡＭと２５６ＱＡＭの両信号の捕捉が帯域幅６ＭＨｚ付録Ｂのダウンストリーム信号について試みられる。ステップ３２６で、６ＭＨｚ北米ＱＡＭ信号が検出されると、ステップ３６２に進み、ここで復調器１１８と変調器１１０は、上述したように、ベースバンド信号の更なる処理を可能にするように設定される。
【００４２】
しかしながら、ステップ３２６で、北米標準のＱＡＭ信号の１つが検出されなければ、ステップ３２８で、同調したチャンネル周波数が、検索しようとするタイプの最後のものであるか問われる。この最後のＣＣＩＲチャンネル周波数がまだ検索されていなければ、ステップ３１８に進み、ここでチューナ１１２は、次のＣＣＩＲチャンネル周波数に順次に同調される。ダウンストリーム信号が、ＣＣＩＲチャンネルのうちの１つから捕捉される（そしてステップ３６２に進む）まで、またはステップ３２８で、ダウンストリーム信号を捕捉することなく最後のＣＣＩＲチャンネルが検索されるまで、ステップ３１８〜３２８は、各ＣＣＩＲチャンネルについて順次に繰り返される。ステップ３２８で、ダウンストリーム信号を捕捉することなく最後のＣＣＩＲが検索されると、ステップ３３０に進む。
【００４３】
ステップ３３０で、チューナ１１２は、第１のＵＫ（Ｕｎｉｔｅｄ  Ｋｉｎｇｄｏｍ）チャンネルに同調する。現在９４個のＣＣＩＲチャンネルのうちどのチャンネルもダウンストリーム信号を搬送する。チューナ１１２が、ＣＣＩＲチャンネルの周波数に同調すると、ステップ３３２で、欧州の（付録Ａ）ＤＯＣＳＩＳ標準に基づいて、６４ＱＡＭまたは２５６ＱＡＭ、帯域幅８ＭＨｚのダウンストリーム信号を捕捉するために検索が行われる。すなわち、６４ＱＡＭと２５６ＱＡＭの両信号の捕捉が各チャンネルで試みられてから、次のチャンネルに同調する。
【００４４】
ステップ３３４で、その同調したＵＫチャンネルについて、８ＭＨｚの欧州ＱＡＭ信号が検出されると、ステップ３６２に進み、ここで上述したように、ベースバンド信号の更なる処理を可能にするために、復調器１１８と変調器１１０が設定される。ステップ３３４で、その同調したＵＫチャンネルの欧州標準に基づいて、帯域幅８ＭＨｚ付録Ａのダウンストリーム信号が検出されなければ、ステップ３３６に進む。
【００４５】
ステップ３３６で、同じチャンネル周波数（例えば、ＵＫチャンネル）が、北米のＤＯＣＳＩＳ標準（付録Ｂ）に基づいてチェックされる。すなわち、チューナ１１２は、同じチャンネル周波数に保たれ、６４ＱＡＭと２５６ＱＡＭの両信号の捕捉が、帯域幅６ＭＨｚ付録Ｂのダウンストリーム信号に対して試みられる。ステップ３３８で、６ＭＨｚの北米ＱＡＭ信号が検出されると、ステップ３６２に進み、上述のように、復調器１１８と変調器１１０は、ベースバンド信号の更なる処理を可能にするように設定される。
【００４６】
しかしながら、ステップ３３８で、北米標準ＱＡＭ信号のうちの１つが検出されなければ、その同調したチャンネル周波数が、検索しようとするタイプの最後のものであるかどうか問われる。もし、この最後のＵＫチャンネル周波数がまだ検索されていなければ、ステップ３３０に進み、ここでチューナ１１２は、次のＵＫチャンネル周波数に順次に同調される。ＵＫチャンネルの１つからダウンストリーム信号が捕捉される（そしてステップ３６２に進む）まで、またはステップ３４０で、ダウンストリーム信号を捕捉することなく最後のＵＫチャンネルが検索されるまで、ステップ３３０〜３４０は、各ＵＫチャンネルについて順次に繰り返される。もしステップ３４０で、ダウンストリーム信号を捕捉することなく最後のＵＫチャンネルが検索されると、ステップ３４２に進む。
【００４７】
ステップ３４２で、カウンタは１だけインクリメントされる。これはステップ３０４〜３４０を通る第１のパス（ｐａｓｓ）を意味する。或る実施例において、ダウンストリーム信号が検出されるまで、またはカウンタの値が２にインクリメントされるまで、ステップ３０４〜３４０は２回繰り返される。ステップ３４２で、プリセットされた全てのＣＣＩＲまたはＵＫチャンネル周波数を通じて、ダウンストリームのデータ信号が、第１のパスで検出されなければ、ステップ３０４〜３４０について上述したように、プリセットされたＣＣＩＲおよびＵＫチャンネルの周波数を通じて第２のパスを実行する。
【００４８】
方法３００は、各チャンネルに亘って第２のパスを実行して、ダウンストリーム信号を識別し且つケーブル・モデム１０２の能率を高める第２の機会をケーブル・モデム１０２に与える。このような第２の機会は、ケーブル・モデム１０２にダウンストリーム信号を失わせるような、ケーブル・モデムに関連しない中断（例えば、ヘッドエンドで生じる中断、灯火管制、または他のダウンストリームの中断）が生じる場合に必要である。
【００４９】
もしステップ３１０、３１４、３２２、３２６、３３４、または３３８において、ステップ３０４〜３４０の第２のパスの間に、チャンネル周波数の１つが検出されると、上述したように、ステップ３６２に進む。しかしながら、もしステップ３０４〜３４０の第２のパスの間に、チャンネル周波数が１つも検出されず、且つステップ３４４でカウンタの値が２（ｃｏｕｎｔｅｒ＝２）になれば、ステップ３４６に進む。
【００５０】
ステップ３４６で、チューナ１１２は、インクリメンタル・ステップ（例えば、３７５ＫＨｚの増分）で、１１０ＭＨｚ〜８６２ＭＨｚ間の複数の周波数（中心周波数）のうち第１の周波数に同調される。特に、ステップ３４６で、チューナ１１２は、第１の周波数（例えば、１１０ＭＨｚ）に同調される。ステップ３４８で、ダウンストリーム欧州８ＭＨｚ付録Ａ信号について、６４ＱＡＭと２５６ＱＡＭの両信号の捕捉が最初に試みられる。ステップ３５０で、もし欧州８ＭＨｚ付録Ａ信号が検出されると、上述したように、ステップ３６２に進む。
【００５１】
ステップ３５０で、欧州８ＭＨｚ付録Ａ信号が検出されなければ、ステップ３５２で、同調された第１の周波数について、北米６ＭＨｚ付録Ｂ信号の捕捉が試みられる。ステップ３５４で、北米６ＭＨｚ付録Ｂ信号が検出されると、上述のように、ステップ３６２に進む。ステップ３５４で、北米６ＭＨｚ付録Ｂ信号が検出されなければ、ステップ３５６に進む。
【００５２】
ステップ３５６で、同調されたチャンネルが、検索される最後のチャンネルであるかどうかが確かめられる。ステップ３５６で、答えがＮＯであれば、ステップ３５８に進み、チューナ１１２は、次の周波数にインクリメントされる。例えば、チューナは１１０．３７５ＭＨｚ（すなわち、１１０ＭＨｚ＋増分３７５ＫＨｚ）に同調される。ダウンストリーム信号が捕捉されるまで、またはステップ３５６で、最後のチャンネルが検索されるまで、ステップ３４８〜３５８が繰り返される。ステップ３５６で、最後のチャンネル（例えば、８６２ＭＨｚ）の検索が完了すると、ステップ３０１に進み、ダウンストリーム信号が捕捉されるまで、方法３００全体が繰り返される。ダウンストリーム信号が捕捉され、且つステップ３６２で、アップストリームのパラメータが捕捉されると、ステップ３６４で、方法３００は終了する。
【００５３】
方法３００は、１１０ＭＨｚ〜８６２ＭＨｚ間の周波数スペクトルに踏み込むステップ３４６〜３５８（これには多くの時間を要する）に先立ち、既知の欧州チャンネルを検索するためにケーブル・モデムを最適化することについて述べられている。別の実施例では、捕捉の順序を最初に、８ＭＨｚ付録Ａチャンネルに代り、６ＭＨｚ付録Ｂチャンネルに変更して、北米のＤＯＣＳＩＳ標準で検索するためにケーブル・モデム１０２は最適化される。
【００５４】
別の実施例では、ケーブル・モデム１０２は更に最適化され、ＣＣＩＲまたはＵＫチャンネルの代りに、北米の、例えば、ＨＲＣ（Ｈａｒｍｏｎｉｃａｌｌｙ  Ｒｅｌａｔｅｄ  Ｃａｒｒｉｅｒ：ハーモニックに関連の搬送波）とＩＲＣ（Ｉｎｃｒｅｍｅｎｔａｌｌｙ  Ｒｅｌａｔｅｄ  Ｃａｒｒｉｅｒ：インクリメンタルに関連の搬送波）のチャンネルを検索する。すなわち、ステップ３１８では、１２５個のＩＲＣチャンネルに順次に同調し、ステップ３３０では、１２５個のＨＲＣチャンネルに順次に同調する。勿論、付録Ａと付録Ｂ標準に基づいて、６４ＱＡＭと２５６ＱＡＭの両ダウンストリーム信号の検出が、同調された各周波数において実行されてから、次のＩＲＣまたはＨＲＣチャンネルに同調する。
【００５５】
更に別の実施例では、方法３００は、欧州と北米の周波数を等しくチェックするように設計することができる。具体的には、方法３００は、６４ＱＡＭと２５６ＱＡＭの８ＭＨｚ付録Ａをチェックしてから、プリセット・チャンネル（例えば、１０個のプリセットされたチャンネル）の各々について、６４ＱＡＭと２５６ＱＡＭの６ＭＨｚ付録Ｂ信号の捕捉をチェックする。次に、９４個のＣＣＩＲチャンネルが同様にチェックされ、それに続いて、１２５個のＩＲＣチャンネル、９４個のＵＫチャンネル、そして１２５個のＨＲＣチャンネルがチェックされる。ダウンストリームの信号を捕捉できなければ、ステップ３４２と３４４で述べたように、２回目として、既知のプリセットされた、ＣＣＩＲ、ＩＲＣ、ＵＫ、およびＨＲＣチャンネルを検索する。ダウンストリームの信号が既知のチャンネルを通るこの２回目のパスで捕捉できなければ、更に進んで、ステップ３４６〜３５８で述べたように、１１０ＭＨｚ〜８６２ＭＨｚ間の全ての周波数をチェックする。
【００５６】
上述のように、ダウンストリーム信号が検出され、そしてＤＯＣＳＩＳ標準（すなわち、付録Ａまたは付録Ｂ）が識別されるまで、変調器１１０のセッティングはケーブル・モデム１０２によって設定されない。ＤＯＣＳＩＳ標準が知れると、アップストリーム信号をサービス・プロバイダ１６０に供給するように、変調器１１０を設定することができる。
【００５７】
本発明の或る実施例において、ケーブル・モデム１０２は、単一の６５ＭＨｚ低域フィルタ１３４を具え、フィルタ１３４は、北米および欧州のＤＯＣＳＩＳ標準に基づいて、アップストリーム信号のために使用される。特に、単一の６５ＭＨｚ低域フィルタ１３４は、欧州のＤＯＣＳＩＳ標準に基づく要求に応じて、５ＭＨｚ〜６５ＭＨｚ間の周波数を有するアップストリームのデータ信号を通過させる。また、６５ＭＨｚの低域フィルタ１３４は、北米のＤＯＣＳＩＳ標準でも使用されるので、４２ＭＨｚ〜６５ＭＨｚ間の帯域幅を追加的に利用できる。北米のＤＯＣＳＩＳ標準に基づいて、一般に、アップストリームのデータ信号は、５ＭＨｚ〜４２ＭＨｚ間の周波数範囲内で送信される。
【００５８】
図２に関して、ＬＰＦの応答曲線２１０（破線で示す）は、北米のＤＯＣＳＩＳ標準に基づいて動作しているとき、４２ＭＨｚ以下の周波数について、低レベルの挿入損２０２を示す。欧州ＤＯＣＳＩＳ標準では、アップストリームのデータ信号は、５ＭＨｚ〜６５ＭＨｚ間の周波数の範囲内で送信される。図２のＬＰＦ応答曲線２１２は、欧州、および北米のＤＯＣＳＩＳ標準で動作しているとき、６５ＭＨｚ以下の周波数について、低レベルの挿入損２０２を示す。従って、ケーブル・モデム１０２が、北米標準で動作しているとき、多数のユーザがアップストリーム路にアクセスしているとき、混雑したアップストリーム路を緩和するために追加的な帯域幅（４２〜６５ＭＨｚ）を利用することもできる。
【００５９】
本発明の開示を組み込んだ種々の実施例を示し、この明細書で詳細に説明したが、当業者は、これらの開示を組み込んだ他の多様な実施例を容易に創案することができる。
【図面の簡単な説明】
【００６０】
【図１】本発明の原理に従うデータ通信システムで使用するための例示的なマルチ‐モードの双方向性通信装置のブロック図である。
【図２】本発明の原理に従う図１のダイプレクサの応答曲線をグラフで例示する。
【図３Ａ】本発明の原理に従う、図１の装置を使用してダウンストリーム信号を検出する例示的方法のフローチャートである。
【図３Ｂ】本発明の原理に従う、図１の装置を使用してダウンストリーム信号を検出する例示的方法のフローチャートである。
【図３Ｃ】本発明の原理に従う、図１の装置を使用してダウンストリーム信号を検出する例示的方法のフローチャートである。
【図４】本発明の原理に従って、図１のケーブル・モデムのＳＡＷフィルタに関連し北米のＤＯＣＳＩＳ標準に基づいて動作するデータ・チャンネルの周波数応答曲線を示す。
【図５】本発明の原理に従って、図１のケーブル・モデムのＳＡＷフィルタに関連して北米のＤＯＣＳＩＳ標準に基づいて動作するガード・バンドを有するデータ・チャンネルの周波数応答曲線を例示する。
【図１】
0004787467.tif 000002
【図２】
0004787467.tif 000003
【図３Ａ】
0004787467.tif 000004
【図３Ｂ】
0004787467.tif 000005
【図３Ｃ】
0004787467.tif 000006
【図４】
0004787467.tif 000007
【図５】
0004787467.tif 000008